(57)【要約】【課題】建築物のコンクリート基礎に給排水等の貫通孔形成工事に用いる塩ビ管において、コンクリート打設して養生後、塩ビ管を躯体から容易に抜脱し、繰り返しリサイクルができるようにする。【解決手段】塩ビ管の一方端面を開放し、該一方端面を床枠に固定する固定具を該一方端面の内面に取着し、かつ、他方端面に冠着可能な密閉用蓋を備え、該他方端面近くの塩ビ管内面対称位置に塩ビ管引き抜き用突起を突設して構成し、そして該塩ビ管の外表面に密接してプラベニヤ製の外筒を嵌合して二重構造としたリサイクル可能な配管用スリーブ。【選択図】図１
0003139630.tif 000002
【実用新案登録請求の範囲】
【請求項１】
コンクリート建造物の床に円管状配管孔を形設する工事に用いる配管用スリーブにおいて、塩ビ管の一方端面を開放し、該一方端面を床枠に固定する固定具を該一方端面の内面に取着し、かつ、他方端面に冠着可能な密閉用蓋を備え、該他方端面近くの塩ビ管内面対称位置に塩ビ管引き抜き用突起を突設して構成し、そして該塩ビ管の外表面に密接してプラベニヤ製の外筒を嵌合して二重構造としたことを特徴とするリサイクル可能な配管用スリーブ。
【請求項２】
前記プラベニヤ製の外筒を、プラベニヤ製シートを養生テープで接合して構成し、前記塩ビ管の外表面に密接し、シート内空気層を区切る筋目線を前記円筒状スリーブの軸方向に揃え、両端部は養生テープを周着してシート内空気層入り口を密封し、そして円筒状の塩ビ管と同一の高さに形成してなる請求項１記載のリサイクル可能な配管用スリーブ。
【考案の詳細な説明】
【技術分野】
【０００１】  この考案は、建築物の基礎等を構成するコンクリートの中に給排水等の貫通孔形成工事に用いる塩化ビニール管（以下、塩ビ管という）とプラベニヤ（商品名）製外筒を嵌合した二重構造スリーブに関する。
【背景技術】
【０００２】  従来、建築物のコンクリート基礎に給排水等の貫通孔を形成する工事には、ボイド（紙筒）、塩ビ管、または鉄管や亜鉛メッキ管の実管スリーブなどが使用されてきた。【０００３】  ボイド（紙筒）は安価で、加工が簡単であるが、コンクリート打設後総てを除去し、廃材として処理しなければならず、このため多大の費用を要する欠点がある。一方塩ビ管は加工が簡単で、廃材処理の必要はないが、地上階においては使用箇所が限定され、工事終了後躯体からの抜脱が難しい欠点がある。また、鉄管や亜鉛メッキ管の実管スリーブは、コンクリート打設後そのまま躯体に残すので非常に便利であるが、他のスリーブ材に比し高価であり、建物に錆を発生させる原因となるなど、何れの部材も問題点を抱えている。【０００４】  塩ビ管スリーブは、地上階における使用箇所が限定される等の欠点があるものの、コンクリート打設養生後、原形状のまま躯体からの抜脱が容易にできれば、公害発生の恐れは解消してリサイクルが可能となり、その利用価値は格段に向上する。今まで、塩ビ管スリーブを使用した工事の現場において、これを二つ割りにしたり、切れ目を入れたりして物理的に変形して抜脱を試みたが、実用化には成功しなかった。
【考案の開示】
【考案が解決しようとする課題】
【０００５】  解決しようとする問題点は、建築物のコンクリート基礎に給排水等の貫通孔を形成する工事において、使い勝手がよく安価で、公害発生の恐れがない塩ビ管を採用した場合、コンクリート打設して養生の後、先ず塩ビ管を原形状のまま、かつ簡易に躯体から抜脱することができ、そして、繰り返しリサイクルに供することができる配管用スリーブとして提供することである。
【課題を解決するための手段】
【０００６】  上記目的を達成するため、請求項１の考案に係る配管用スリーブは、塩ビ管の一方端面を開放し、該一方端面を床枠に固定する固定具を該一方端面の内面に取着し、かつ、他方端面に冠着可能な密閉用蓋を備え、該他方端面近くの塩ビ管内面対称位置に塩ビ管抜脱用突起を突設して構成し、そして該塩ビ管の外表面に密接してポリプロピレン（以下、ＰＰという）使用のプラベニヤ製の外筒を嵌合して二重構造としたことを特徴とするリサイクル可能な配管用スリーブである。【０００７】  上記目的を達成するため、請求項２に係わる考案は、前記ＰＰ材使用のプラベニヤ（商品名）製の外筒を、プラベニヤ製シートを養生テープで接合して形成し、前記塩ビ管の外表面に密接し、シート内空気層を区切る筋目線を前記円筒状スリーブの軸方向に揃え、両端部は養生テープを周着してシート内空気層入り口を密封し、そして円筒状の塩ビ管と同一の高さに形成してなる請求項１記載のリサイクル可能な配管用スリーブである。
【考案の効果】
【０００８】  請求項１の考案に係る配管用スリーブ（１）は、高剛性の塩ビ管（３）にプラベニヤ製の外筒（２）を密接して嵌合してなる二重構造円筒体のため、打設されたコンクリートの加重と水和熱による膨張の圧縮応力に耐えることができるので、円筒体の直径を縮小させることはない。却って、水和熱が去ればコンクリートの熱収縮により管通孔の直径は拡大し、塩ビ管（３）は引き抜き易くなる。ＰＰ材使用のプラベニヤはコンクリート面との接着性がなく、剥がし易い。【０００９】  請求項２の考案に係る配管用スリーブ（１）は、二重構造円筒体の外筒（２）がプラベニヤ製で、上下端面の周縁開口を養生テープ（９）で塞ぎ、密閉空気層を内包させた。この密閉空気層が、高剛性の塩ビ管（３）と相俟って、コンクリートの加重と水和熱による膨張の圧縮応力に耐え、二重構造円筒体の直径を縮小させない効果を発揮した。プラベニヤ（２１）も養生テープ（９）も共にコンクリート面との接着性はなく、抜脱し易く、剥し易い部材として最適である。
【考案を実施するための最良の形態】
【００１０】  上述の通り、請求項１の考案に係る配管用スリーブ（１）は、高剛性のプラベニヤ製外筒（２）と塩ビ管（３）が密着して形成された二重構造のため、打設されたコンクリートの水和熱による膨張の圧縮応力を受けても変形せず、コンクリートの養生後は熱収縮によりコンクリート貫通孔の径は拡大するため、このコンクリート貫通孔から塩ビ管（３）を引き抜き、プラベニヤ製外筒（２）を剥がして取り出すことは容易となり、プラベニヤ製外筒（２）と塩ビ管（３）を密着形成した二重構造は最良の形態である。
【実施例】
【００１１】  次に、この考案の実施の態様について図面を参照して説明する。図１は、リサイクル可能な配管用スリーブ（１）の斜視図である。本実施例は床用に実施したものでるため、配管用スリーブ（１）を立設した状態で図示した。プラベニヤ製の外筒（２）が塩ビ管（３）に密接して嵌合し、リサイクル可能な配管用スリーブ（１）を形成する状況を示している。塩ビ管（３）の一方開放端面に、塩ビ管（３）を床型枠に固定するための固定具（４）が３個取着されている。固定具（４）は長方形状の細長い金属平板を直角に曲げたもので、水平状態の金属平板の先端部分に釘着用穴（５）を開け、垂直状態の金属平板の裏面を塩ビ管（３）の内面に接着して、水平金属平板が塩ビ管（３）の一方開放端面と重なり、相互に均等の角度をなすように形成した。【００１２】  塩ビ管（３）の他方端面には、これに冠着が可能な蓋（７）を備える。コンクリート打設時にコンクリートが進入するのを防止するためである。蓋（７）の裏面には、蓋（７）を塩ビ管（３）の内面に挿着するための挿着片（８）が３個突設されている。挿着片（８）の外周は塩ビ管（３）の内面の円弧と略一致させて形成し、接着した。また、塩ビ管（３）の他方端面には、コンクリート養生後、躯体から塩ビ管（３）を引き抜くための突起（６）が、管内面上の軸と直角な対称位置に突設されている。【００１３】  図２はプラベニヤシート（２１）の平面図、図３はプラベニヤ製の外筒（２）の正面図、そして、図４はプラベニヤ製の外筒（２）の上面図である。プラベニヤ製の外筒（２）は、長方形のプラベニヤシート（２１）を接合して形成した。図２のプラベニヤシートの平面図において、縦ＡＢ、ＣＤの長さを塩ビ管（３）の高さに、横ＡＣ，ＢＤの長さを塩ビ管（３）の外周長に夫々合わせて取り、縦ＡＢ線とＣＤ線と突合せて養生テープで接合し、プラベニヤ製の外筒（２）を形成した。プラベニヤ内部の空気層の筋目を外筒（２）の軸方向に揃えた関係上、外筒（２）の上下の周縁に養生テープ（９）を周着して、空気層の解放口を塞いだ。これにより、空気層の弾性は維持されると共に、外筒（２）が躯体から剥がれにくくなることはない。【００１４】  図５はプラベニヤ製の外筒（２）を、塩ビ管（３）に嵌合して形成した二重構造の筒体の正面図、そして図６はその上面図である。この二重構造の筒体は、コンクリートの打設によりその重量による加重と、コンクリートの水和熱による膨張力を受けるが、外筒（２）のプラベニヤ内部空気層と高剛性の塩ビ管（３）がこれに抗して、二重構造の筒体の直径を減ずることはない。養生が終われば、躯体に開設された貫通孔の直径は熱収縮により拡大傾向にあるから、塩ビ管（３）は抜脱し易く、外筒（２）のプラベニヤをコンクリート面から剥がし易くなる。プラベニヤおよび外筒（２）の形成に用いた養生テープは、コンクリート面との接着性はないから剥がし易い。【００１５】  図７は蓋（７）の側面図、そして図８は蓋（７）の底面図である。蓋（７）は、プラベニヤ製の外筒（２）を塩ビ管（３）に嵌合して形成した二重構造の筒体を所定位置に設置した後、塩ビ管（３）の挿着片（８）が固着された側の開放端面に冠着する。冠着は３個の挿着片（８）を塩ビ��（３）の内筒面に挿着して行う。冠着した後、外筒（２）と蓋（７）を養生テープで固定し、蓋（７）の脱着を防止する。蓋（７）により、二重構造の筒体内へのコンクリートの侵入を防止できる。【００１６】  図９の（ａ）は固定具（４）の正面図、（ｂ）は同平面図、（ｃ）は同右側面、図１０（ａ）は突起（６）の正面図、そして図１０（ｂ）は同平面図である。固定具（４）は、塩ビ管（３）の直交２面の一方の面に釘着用穴（５）が開設され、塩ビ管（３）内面との接触面が接着固定される。突起（６）は塩ビ管（３）の躯体からの抜脱時に用いる。【００１７】  以上、主としてコンクリート基礎の管通孔のうち床について述べたが、壁や梁についても適用が可能である。
【産業上の利用可能性】
【００１８】  プラベニヤ製外筒（２）と塩ビ管（３）はリサイクル可能のため資源節約に資し、廃棄処分が不要となり、コンクリート管通孔工事における利用可能性は大である。
【図面の簡単な説明】
【００１９】
【図１】リサイクル可能な配管用スリーブ（１）の斜視図である。
【図２】プラベニヤシート（２１）の平面図である。
【図３】プラベニヤ製の外筒（２）の正面図である。
【図４】プラベニヤ製の外筒（２）の上面図である。
【図５】プラベニヤ製の外筒（２）を密接して嵌合した塩ビ管（３）の正面図である。
【図６】プラベニヤ製の外筒（２）を密接して嵌合した塩ビ管（３）の上面図である。
【図７】蓋（７）の側面図である。
【図８】蓋（７）の底面図である。
【図９】固定具（４）の正面図（ａ）および同平面図（ｂ）である。
【図１０】突起（６）の正面図（ａ）および同平面図（ｂ）である。
【符号の説明】
【００２０】１  リサイクル可能な配管用スリーブ
２  プラベニヤ製の外筒
３  塩ビ管
４  固定具
５  釘着用穴
６  突起
７  蓋
８  挿着片
９  養生テープ
２１  プラベニヤシート
Ａ、Ｂ、Ｃ、Ｄ  プラベニヤシート（２１）の四隅部
【図１】
0003139630.tif 000003
【図２】
0003139630.tif 000004
【図３】
0003139630.tif 000005
【図４】
0003139630.tif 000006
【図５】
0003139630.tif 000007
【図６】
0003139630.tif 000008
【図７】
0003139630.tif 000009
【図８】
0003139630.tif 000010
【図９】
0003139630.tif 000011
【図１０】
0003139630.tif 000012